(57)【特許請求の範囲】
【請求項１】
無公害液体バランス装置であって、プラスチック製の密封袋と、プラスチック製の前面カバーと、プラスチック製の背面カバーと、水、耐腐食添加剤、不凍剤および無機塩を含む液体バランス材料とを含み、液体バランス材料の質量は発射物の１〜１．５倍であり、耐腐食添加剤および不凍剤は液体又は水溶性物質で、密封袋と化学的に反応することができないものであり、無機塩は水溶性物質で、密封袋と化学的に反応することができないものであって、無機塩の溶解度が温度変化に対して安定しており、液体バランス材料が密封袋の内部に入れられた状態で、密封袋の両端が密封されており、前面カバーおよび背面カバーの直径は発射管の内径と合わせて、密封袋が前面カバーと背面カバーの間に配置されており、
耐腐食添加剤は液体バランス材料のｐＨを調整するために使用され、不凍剤は液体バランス材料の凝固点を下げるために使用され、無機塩は液体バランス材料の密度を増加するために使用され、常時の輸送される状況で、液体バランス材料が密封袋の中に良好に密封されて、発射する際に火薬の推力の作用でミサイルが前進すると、密封袋、前面カバーおよび背面カバーを瞬時に断片化して、液体バランス材料は高速で後方に向けて発射管外に排出され、前部と後部のインパルスは類似または等しいことで、発射する際の発射管に対するインパルスを低減または解消することを特徴とする無公害液体バランス装置。
【発明の詳細な説明】
【技術分野】
【０００１】
本発明は、バランス装置に関し、特に、無公害液体バランス装置に関する。
【背景技術】
【０００２】
従来のバランス装置はプラスチックシートとガイドバーで構成されている。そのバランス装置は大体プラスチックシートから成っており、そのガイドバーがプラスチックシートに対する制限と指向の役割を果たしている。そのバランス装置が発射管に配置され、動作する際に、火薬の推力の作用でミサイルが前進するとともに、バランス装置を高速で発射管の後方に排出して、前部と後部のインパルスは等しいことで、発射する際の発射管に対するインパルスを解消する。このようなバランス装置の欠点は、プラスチックシートの拡散範囲が広くて、リサイクルが困難で、環境への大きな汚染を生み出すおそれがあることである。
【先行技術文献】
【特許文献】
【０００３】
【特許文献１】中国特許出願公開第１０１０８８８５９号明細書
【発明の概要】
【発明が解決しようとする課題】
【０００４】
本発明の目的は、プラスチックシートの拡散範囲が広くて、リサイクルが困難で、環境への大きな汚染を生み出すおそれがあるなどの従来のバランス装置の課題を解決するために、無公害液体バランス装置を提供することである。
【課題を解決するための手段】
【０００５】
無公害液体バランス装置であって、プラスチック製の密封袋と、プラスチック製の前面カバーと、プラスチック製の背面カバーと、水、耐腐食添加剤、不凍剤および無機塩を含む液体バランス材料とを含み、液体バランス材料の質量は発射物の１〜１．５倍であり、耐腐食添加剤および不凍剤は液体又は水溶性物質で、密封袋と化学的に反応することができないものであり、無機塩は水溶性物質で、密封袋と化学的に反応することができないものであって、無機塩の溶解度が温度変化に対して略一定であり、液体バランス材料を密封袋の内部に入れて、密封袋の両端をプラスチックで高温下で密封し、前面カバーおよび背面カバーの直径は発射管の内径と合わせて、密封袋を前面カバーと背面カバーの間に配置する。
【０００６】
耐腐食添加剤は液体バランス材料のｐＨを調整するために使用され、不凍剤は液体バランス材料の凝固点を下げるために使用され、無機塩は液体バランス材料の密度を増加するために使用され、常時の輸送される状況で、液体バランス材料が密封袋の中に良好に密封されて、発射する際に火薬の推力の作用でミサイルが前進すると、密封袋、前面カバーおよび背面カバーを瞬時に断片化して、液体バランス材料は高速で後方に向けて発射管外に排出され、前部と後部のインパルスは類似または等しいことで、発射する際の発射管に対するインパルスを低減または解消する。
【発明の効果】
【０００７】
この装置は、簡単な構造を有し、バランス材料として液体バランス材料を採用することにより、発射後に無公害である利点を有している。
【図面の簡単な説明】
【０００８】
【図１】無公害液体バランス装置の構造の概略図である。
【発明を実施するための最良の形態】
【０００９】
無公害液体バランス装置であって、プラスチック製の密封袋１と、プラスチック製の前面カバー２と、プラスチック製の背面カバー３と、水、耐腐食添加剤、不凍剤および無機塩を含む液体バランス材料４とを含み、液体バランス材料４の質量は発射物の１．５倍であり、耐腐食添加剤および不凍剤は液体又は水溶性物質で、密封袋１と化学的に反応することができないものであり、無機塩は水溶性物質で、密封袋１と化学的に反応することができないものであって、無機塩の溶解度が温度変化に対して略一定であり、液体バランス材料４を密封袋１の内部に入れて、密封袋１の両端をプラスチックで高温下で密封し、前面カバー２および背面カバー３の直径は発射管５の内径と合わせて、密封袋１を前面カバー２と背面カバー３の間に配置する。
【００１０】
耐腐食添加剤は液体バランス材料のｐＨを調整するために使用され、不凍剤は液体バランス材料の凝固点を下げるために使用され、無機塩は液体バランス材料の密度を増加するために使用され、常時の輸送される状況で、液体バランス材料４が密封袋１の中に良好に密封されて、発射する際に火薬の推力の作用でミサイルが前進すると、密封袋１、前面カバー２および背面カバー３を瞬時に断片化して、液体バランス材料４は高速で後方に向けて発射管外に排出され、前部と後部のインパルスは類似または等しいことで、発射する際の発射管５に対するインパルスを低減または解消する。
【発明を実施するための形態】
【００１１】
無公害液体バランス装置であって、プラスチック製の密封袋１と、プラスチック製の前面カバー２と、プラスチック製の背面カバー３と、水、耐腐食添加剤、不凍剤および無機塩を含む液体バランス材料４とを含み、液体バランス材料４の質量は発射物の１．５倍であり、耐腐食添加剤および不凍剤は液体又は水溶性物質で、密封袋１と化学的に反応することができないものであり、無機塩は水溶性物質で、密封袋１と化学的に反応することができないものであって、無機塩の溶解度が温度変化に対して略一定であり、液体バランス材料４を密封袋１の内部に入れて、密封袋１の両端をプラスチックで高温下で密封し、前面カバー２および背面カバー３の直径は発射管５の内径と合わせて、密封袋１を前面カバー２と背面カバー３の間に配置する。
【００１２】
耐腐食添加剤は液体バランス材料のｐＨを調整するために使用され、不凍剤は液体バランス材料の凝固点を下げるために使用され、無機塩は液体バランス材料の密度を増加するために使用され、常時の輸送される状況で、液体バランス材料４が密封袋１の中に良好に密封されて、発射する際に火薬の推力の作用でミサイルが前進すると、密封袋１、前面カバー２および背面カバー３を瞬時に断片化して、液体バランス材料４は高速で後方に向けて発射管外に排出され、前部と後部のインパルスは類似または等しいことで、発射する際の発射管５に対するインパルスを低減または解消する。
【産業上の利用可能性】
【００１３】
この装置は、簡単な構造を有し、バランス材料として液体バランス材料を採用することにより、発射後に無公害である利点を有している。
【符号の説明】
【００１４】
１  密封袋
２  前面カバー
３  背面カバー
４  液体バランス材料
５  発射管
【図１】
0005860956.tif 000002